(57)【要約】【課題】動画像撮影中に静止画像を撮影する同時撮影の際に、動画像及び静止画像共に画質の劣化の少ない画像を得る。【解決手段】表示装置のフレーム周波数より高いフレーム周波数で画像信号を出力できる撮像装置を用いて、撮像装置より出力した複数のフレーム画像を加算して表示装置に表示する１フレームを作成する。動画像は、互いに時間的に隣接しない複数のフレーム画像を加算して生成するが、静止画像は連続した複数の複数のフレーム画像を加算して生成する。【選択図】図１
2008205620.tif 000002
【特許請求の範囲】
【請求項１】
画像信号を順次出力する撮像手段と、
前記撮像手段から順次出力された画像信号から、Ｌ（Ｌは、３以上の整数）フレーム単位で互いに時間的に連続しないＭ（Ｍは、Ｌより小さくかつ２以上の整数）フレームの画像信号を加算して動画像用画像信号を生成する第１の加算手段と、
前記Ｌフレームの画像信号のうちの互いに時間的に隣接したＮ（Ｎは、Ｌより小さくかつ２以上の整数）フレームの画像信号を加算して静止画像用画像信号を生成する第２の加算手段と、を有することを特徴とする撮像装置。
【請求項２】
画像信号を順次出力する撮像手段と、
前記撮像手段から順次出力された画像信号から、Ｌ（Ｌは、３以上の整数）フレーム単位でＭ（Ｍは、Ｌより小さくかつ２以上の整数）フレームの画像信号を加算して動画像用画像信号を生成する第１の加算手段と、
前記Ｌフレームの画像信号のうちの前記Ｍフレームよりも小さいＮ（Ｎは、Ｌより小さくかつ２以上の整数）フレームの画像信号を加算して静止画像用画像信号を生成する第２の加算手段とを有することを特徴とする撮像装置。
【請求項３】
画像信号を順次出力する撮像手段と、
第１の露光時間の画像信号と前記第１の露光時間よりも長い第２の露光時間の画像信号とを順次出力するように前記撮像手段を駆動する駆動手段と、
前記第１の露光時間の画像信号に基づき、静止画像を生成する静止画像処理手段と、
前記第２の露光時間の画像信号に基づき、動画像を生成する動画像処理手段と、
を有することを特徴とする撮像装置。
【請求項４】
前記撮像手段に含まれる光学系による露光量を制御する光学系制御手段をさらに備え、
前記光学系制御手段は、前記動画像撮影中における前記露光量より前記静止画像撮影での前記露光量を多くする、ことを特徴とする請求項２又は３に記載の撮像装置。
【請求項５】
撮像手段から順次出力された画像信号から、Ｌ（Ｌは、３以上の整数）フレーム単位で互いに時間的に連続しないＭ（Ｍは、Ｌより小さくかつ２以上の整数）フレームの画像信号を加算して動画像用画像信号を生成する第１の加算工程と、
前記Ｌフレームの画像信号のうちの互いに時間的に隣接したＮ（Ｎは、Ｌより小さくかつ２以上の整数）フレームの画像信号を加算して静止画像用画像信号を生成する第２の加算工程と、を有することを特徴とする撮像装置の制御方法。
【請求項６】
撮像手段から順次出力された画像信号から、Ｌ（Ｌは、３以上の整数）フレーム単位でＭ（Ｍは、Ｌより小さくかつ２以上の整数）フレームの画像信号を加算することにより、動画像用画像信号を生成する第１の加算工程と、
前記Ｌフレームの画像信号のうちの前記Ｍフレームよりも小さいＮ（Ｎは、Ｌより小さくかつ２以上の整数）フレームの画像信号を加算して静止画像用画像信号を生成する第２の加算工程とを有することを特徴とする撮像装置の制御方法。
【請求項７】
第１の露光時間の画像信号と前記第１の露光時間よりも長い第２の露光時間の画像信号とを順次出力するように撮像手段を駆動する駆動工程と、
前記第１の露光時間の画像信号に基づき、静止画像を生成する静止画像処理工程と、
前記第２の露光時間の画像信号に基づき、動画像を生成する動画像処理工程と、
を有することを特徴とする撮像装置の制御方法。
【発明の詳細な説明】
【技術分野】
【０００１】
本発明は、動画像及び静止画像を記録可能な撮像装置及び撮像装置の制御方法に関する。
【背景技術】
【０００２】
近年のデジタルビデオカメラにあっては、動画像撮影中に静止画像の撮影が可能な機能、所謂同時撮影の機能を備えたデジタルビデオカメラが市販されている。この同時撮影の機能は、デジタルビデオカメラの動画像撮影中に静止画像撮影ボタンを押すことで、静止画像が記録できるものである。この場合、デジタルビデオカメラを動画像モードから静止画像モードに切り替える必要がないので、時間のロスが無く、動画像撮影中にも静止画像として撮影したい場面で静止画像を撮影し、記録することが可能となる。
【０００３】
図５は、従来提案されている、同時撮影機能を備えたデジタルビデオカメラの概略構成図を示す。図５において、光学系１０１はズームレンズ制御やフォーカスレンズ制御、絞り制御、ＮＤ制御などを備え、これらは光学系制御部１０２で制御される。被写体の光学像は、光学系１０１により撮像部１０３に結像される。撮像部１０３に結像された被写体像は、撮像部１０３で光電変換されて電気信号となる。
【０００４】
撮像部１０３は、ＴＧ（タイミングジェネレータ）１０４で発生されたフレームパルス、制御パルス等で制御され、設定されたフレーム周波数の画像信号を出力する。出力された画像信号はＡ／Ｄ変換部１０５でアナログの画像信号からデジタルの画像信号に変換されて画像処理部１０６に送られる。
【０００５】
画像処理部１０６では、送られてきた画像信号に対してガンマ補正処理やエッジ補正処理などの画像処理が実行される。かくして画像処理された画像信号は、リサイズ処理部１０７で拡大、縮小などのリサイズ処理が行われる。静止画像用画像信号はリサイズ処理部１０７でのリサイズ処理の後、画像信号処理部１０９を経て静止画像用記録媒体１０８に送られて記録される。
【０００６】
一方、動画像用画像信号は、同じくリサイズ処理部１０７でのリサイズ処理の後、画像信号処理部１０９を経て動画像用記録媒体１１０に送られて記録される。同時に、静止画像用画像信号及び動画像用画像信号は表示制御部１１１に送られ、適宜切り替えられてＬＣＤ等の表示装置１１２で表示される。上記したデジタルビデオカメラの各ブロック部分は、図示しないメモリに記憶された制御プログラムにしたがい、ＣＰＵ１１３により制御されて動作する。ユーザの操作は、操作部１１４よりＣＰＵ１１３に指示信号が送られ、ユーザの指示内容に従った動作が、ＣＰＵ１１３の制御によりデジタルビデオカメラの各ブロック部分で実行される。
【０００７】
デジタルビデオカメラが動画像撮影中であった場合、動画像用画像信号が画像処理部１０６から、リサイズ処理部１０７に含まれる動画像用リサイズ処理部１０７ａに供給される。また、同時撮影の機能が実行される場合には、デジタルビデオカメラの動画像撮影中に静止画像撮影用ボタンがユーザにより押される。撮影中に静止画像撮影用ボタンが押されると、操作部１１４より指示信号がＣＰＵ１１３に送られる。この場合、画像処理部１０６は、ＣＰＵ１１３より指示信号を受けると、静止画像撮影用ボタンが押下されたタイミングの画像信号を、リサイズ処理部１０７に含まれる静止画像リサイズ処理部１０７ｂにも供給する。そして、この静止画像リサイズ処理部１０７ｂでリサイズ処理を行った後、画像信号処理部１０９を経由して静止画像用記録媒体１０８に送られて記録される。
【０００８】
上記で説明した構成を備える従来技術に係る方法では、同時撮影モードの際は絞り制御、電子シャッタ制御、ＮＤ制御、利得制御等の露出状態制御が動画像撮影時と静止画像撮影時とで共通に実行される。したがって、同時撮影モードの際に、動画像用画像信号及び静止画像用画像信号のいずれか一方の画像信号の画質が損なわれる恐れがある。たとえば撮像部１０３に使用される半導体撮像素子で動作する電子シャッタが１／１０００秒のような高速シャッタの状態であれば、撮像部１０３において動画像は、１フレームの中で露光が偏るため、連続性の欠けた不自然な画像信号となり画質を損ねてしまう。一方、電子シャッタが１／６０秒のような低速シャッタの状態であれば、静止画像用画像信号としてはブレ易く、静止画像用画像信号としての画質を損ねてしまう。
【０００９】
近年、標準のテレビ信号のフレーム周波数より高いフレーム周波数で画像信号を生成することが可能な半導体撮像素子を用いた撮像装置が開発されてきている。例えば、特許文献１に開示された同時撮影の機能を備える撮像装置においては、撮像素子から標準のテレビ信号のフレーム周波数より高いフレーム周波数で出力される画像信号を記録部で記録媒体に記録するものが提案されている。
【００１０】
動画像撮影中は、撮像素子が出力する標準のテレビ信号のフレーム周波数より高いフレーム周波数の複数の画像信号を加算し、合成する。これにより、標準のテレビ信号のフレーム周波数の画像信号を生成し、標準のテレビ信号のフレーム周波数で動作する表示装置で表示する。一方、静止画像撮影時は、撮像素子が出力する撮像素子が出力する標準のテレビ信号のフレーム周波数より高いフレーム周波数で静止画像の画像信号を生成する。
【００１１】
例えば表示装置が３０フレーム／秒で動作し、撮像素子が３００フレーム／秒で動作して画像信号を生成する場合、動画像用画像信号は、撮像素子から出力される１０フレーム分の画像信号を加算合成して動画像用画像信号として表示する。一方、静止画像用画像信号は、撮像素子が３００フレーム／秒で動作して画像信号を、３０フレーム／秒のフレームの静止画像用画像信号として表示装置に出力する。
【００１２】
この方法であれば、表示装置に出力される動画像用画像信号は、３００フレーム／秒で動作して生成された１０フレーム分の画像信号の加算により生成されているため、フレーム間の露光されない期間が短いために、より自然な映像となる。一方、静止画像用画像信号は撮像素子が３００フレーム／秒で動作して生成される１枚の画像信号を使用するため、露光時間が短く、画像のブレの少ない静止画像が表示装置に出力されることとなる。
【特許文献１】特開２００５−１２６９５号公報
【発明の開示】
【発明が解決しようとする課題】
【００１３】
しかしながら、上記で説明したように、表示装置のフレーム周波数より高いフレーム周波数で生成された画像信号を記憶するとなると、記憶装置の記憶容量が多く必要となる。また同時に、３００フレーム／秒という高いフレーム周波数の画像信号に対応できる記憶装置が必要となる。
【００１４】
そこで本発明は、動画像撮影中に静止画像を撮影する同時撮影の際に、動画像及び静止画像共に画質の劣化の少ない画像を得ることが可能な撮像装置の提供を目的とする。
【課題を解決するための手段】
【００１５】
上記の目的を達成するため、本発明の実施形態に係る撮像装置は、
画像信号を順次出力する撮像手段と、
前記撮像手段から順次出力された画像信号から、Ｌ（Ｌは、３以上の整数）フレーム単位で互いに時間的に連続しないＭ（Ｍは、Ｌより小さくかつ２以上の整数）フレームの画像信号を加算して動画像用画像信号を生成する第１の加算手段と、
前記Ｌフレームの画像信号のうちの互いに時間的に隣接したＮ（Ｎは、Ｌより小さくかつ２以上の整数）フレームの画像信号を加算して静止画像用画像信号を生成する第２の加算手段と、を有することを特徴とする。
【００１６】
上記の目的を達成するため、本発明の他の実施形態に係る撮像装置は、
画像信号を順次出力する撮像手段と、
前記撮像手段から順次出力された画像信号から、Ｌ（Ｌは、３以上の整数）フレーム単位でＭ（Ｍは、Ｌより小さくかつ２以上の整数）フレームの画像信号を加算して動画像用画像信号を生成する第１の加算手段と、
前記Ｌフレームの画像信号のうちの前記Ｍフレームよりも小さいＮ（Ｎは、Ｌより小さくかつ２以上の整数）フレームの画像信号を加算して静止画像用画像信号を生成する第２の加算手段とを有することを特徴とする。
【００１７】
上記の目的を達成するため、本発明の、さらに他の実施形態に係る撮像装置は、
画像信号を順次出力する撮像手段と、
第１の露光時間の画像信号と前記第１の露光時間よりも長い第２の露光時間の画像信号とを順次出力するように前記撮像手段を駆動する駆動手段と、
前記第１の露光時間の画像信号に基づき、静止画像を生成する静止画像処理手段と、
前記第２の露光時間の画像信号に基づき、動画像を生成する動画像処理手段と、
を有することを特徴とする。
【００１８】
上記の目的を達成するため、本発明の、さらに他の実施形態に係る撮像装置の制御方法は、
撮像手段から順次出力された画像信号から、Ｌ（Ｌは、３以上の整数）フレーム単位で互いに時間的に連続しないＭ（Ｍは、Ｌより小さくかつ２以上の整数）フレームの画像信号を加算して動画像用画像信号を生成する第１の加算工程と、
前記Ｌフレームの画像信号のうちの互いに時間的に隣接したＮ（Ｎは、Ｌより小さくかつ２以上の整数）フレームの画像信号を加算して静止画像用画像信号を生成する第２の加算工程と、を有することを特徴とする。
【００１９】
上記の目的を達成するため、本発明の、さらに他の実施形態に係る撮像装置の制御方法は、
撮像手段から順次出力された画像信号から、Ｌ（Ｌは、３以上の整数）フレーム単位でＭ（Ｍは、Ｌより小さくかつ２以上の整数）フレームの画像信号を加算することにより、動画像用画像信号を生成する第１の加算工程と、
前記Ｌフレームの画像信号のうちの前記Ｍフレームよりも小さいＮ（Ｎは、Ｌより小さくかつ２以上の整数）フレームの画像信号を加算して静止画像用画像信号を生成する第２の加算工程とを有することを特徴とする。
【００２０】
上記の目的を達成するため、本発明の、さらに他の実施形態に係る撮像装置の制御方法は、
第１の露光時間の画像信号と前記第１の露光時間よりも長い第２の露光時間の画像信号とを順次出力するように撮像手段を駆動する駆動工程と、
前記第１の露光時間の画像信号に基づき、静止画像を生成する静止画像処理工程と、
前記第２の露光時間の画像信号に基づき、動画像を生成する動画像処理工程と、
を有することを特徴とする。
【発明の効果】
【００２１】
本発明によれば、動画像撮影中に静止画像を撮影する同時撮影の際に、動画像及び静止画像共に画質の劣化の少ない画像を得ることができる。
【発明を実施するための最良の形態】
【００２２】
＜実施形態１＞
本発明の実施形態１に係る撮像装置の概略ブロック構成図を図１に示す。
【００２３】
図１において、光学系１はズームレンズ制御機構、フォーカスレンズ制御機構、絞り制御機構、ＮＤ制御機構等を備え、これらの各制御機構は、後述するＣＰＵ１３により、光学系制御部２で制御される。光学系１を通過して入射する被写体の光学像は、光学系１の作用により、撮像部３の半導体撮像素子に結像される。撮像部３の半導体撮像素子に結像された被写体像は、半導体撮像素子で光電変換されて電気信号となる。
【００２４】
本実施形態１に係る撮像装置の撮像部３で使用される半導体撮像素子は、電子シャッタ機能を備え、表示装置１２が動作するフレーム周波数、例えば３０フレーム／秒より高いフレーム周波数で動作して画像信号を出力する。本発明の説明においては、たとえば１例として、撮像部３の半導体撮像素子の動作するフレーム周波数を３６０フレーム／秒とする。
【００２５】
撮像部３は、駆動手段としてのＴＧ（タイミングジェネレータ）４で発生されたフレームパルス、制御パルス等で制御され、３６０フレーム／秒のフレーム周波数の画像信号を出力する。出力された画像信号は、Ａ／Ｄ変換部５でアナログの画像信号からデジタルの画像信号に変換されて画像処理部６に送られる。
【００２６】
画像処理部６では、送られてきたデジタルの画像信号に対してガンマ補正処理やエッジ補正処理などの画像処理が実行される。かくして画像処理がなされた画像信号は、記憶選択部１５を介して加算部１６に供給される。記憶選択部１５及び加算部１６により、３６０フレーム／秒の画像処理された画像信号は、フレーム周波数の低い、３０フレーム／秒の画像信号に変換される。
【００２７】
記憶選択部１５は、撮像装置全体の動作を制御するＣＰＵ１３の指示に従い、動画像撮影で使用する画像信号と、静止画像撮影で使用する画像信号を選択する。加算部１６では選択された複数のフレームよりなる画像信号を加算して１フレームの画像信号に変換する。
【００２８】
図２は、静止画像処理部および動画像処理部を構成する記憶選択部１５及び加算部１６のブロック構成例を示す。画像処理部６で画像処理処理された画像信号は記憶選択部１５に供給され、記憶選択部１５が備えるフレームメモリ１５ａに一時的に記憶される。記憶された画像信号が動画像撮影で使用する画像信号であれば、加算部１６が備える動画像用のフレームメモリ１６ａに送られて記憶される。すなわち、記憶選択部１５と加算部１６が備える動画像用のフレームメモリ１６ａとで動画像処理部が構成される。
【００２９】
一方、記憶されている画像信号が静止画像撮影で使用する画像信号であれば、加算部１６が備える静止画像用のフレームメモリ１６ｂに送られて記憶される。すなわち、記憶選択部１５と加算部１６が備える動画像用のフレームメモリ１６ｂとで静止画像処理部が構成される。
【００３０】
記憶選択部１５のフレームメモリ１５ａは、画像信号を加算部１６に送り終えたら画像信号を消去し、次のフレームの画像信号を記憶する。加算部１６の動画像用のフレームメモリ１６ａは、１／３０秒の間に記憶選択部１５より出力される複数のフレームの画像信号を加算しつつ記憶していく。そして、１／３０秒毎に、リサイズ処理部７に加算して生成された画像信号を供給する。
【００３１】
一方、加算部１６の静止画像用のフレームメモリ１６ｂは、１／３０秒の間に記憶選択部１５より出力される複数のフレームの画像信号の中から複数フレームの画像信号を順次加算し記憶する。そして、１／３０秒毎に、リサイズ処理部７に加算して生成した画像信号を供給する。
【００３２】
加算部１６から供給された画像信号は、リサイズ処理部７で拡大、縮小などのリサイズ処理が行われる。静止画像用画像信号はリサイズ処理部７でのリサイズ処理の後、画像信号処理部９を経て静止画像用記録媒体８に送られて記録される。
【００３３】
一方、動画像用画像信号は、画像信号処理部９を経て動画像用記録媒体１０に送られて記録される。また、これらの画像信号は同時に表示制御部１１に送られ、ＬＣＤ等の表示装置１２で表示される。
【００３４】
上記した撮像装置の各ブロック部分は、ＣＰＵ１３により制御されて動作する。ユーザの操作は、操作部１４よりＣＰＵ１３に指示信号が送られ、指示内容に従った動作が、ＣＰＵ１３の制御により撮像装置の各ブロック部分で実行される。
【００３５】
撮像装置が動画像撮影中であった場合、動画像用画像信号が加算部１６から、リサイズ処理部７に含まれる動画像用リサイズ処理部７ａに供給される。また、同時撮影の機能が実行される場合には、撮像装置の動画像撮影中に静止画像撮影用ボタンがユーザにより押される。撮影中に静止画像撮影用ボタンが押されると、操作部１４より指示信号がＣＰＵ１３に送られる。この場合、画像処理部６は、ＣＰＵ１３より指示信号を受けると、静止画像撮影用ボタンが押下されたタイミングの静止画像用画像信号を、加算部１６のフレームメモリ１６ａから、リサイズ処理部１０７に含まれる静止画像リサイズ処理部７ｂに供給する。そして、この静止画像リサイズ処理部７ｂでリサイズ処理を行った後、画像信号処理部９を経由して静止画像用記録媒体８に送られて記録される。
【００３６】
本発明の実施形態１に係る撮像装置においては、撮像部３から３６０フレーム／秒のフレーム周波数で出力される１２フレームの画像信号の中から、４フレームの画像信号を選択し、加算してフレーム周波数の低い１フレームの画像信号を生成する。
【００３７】
図３に示すように、３０フレーム／秒で動作する表示装置１２が、１フレームの画像信号を表示する時間Ｔ３０に、撮像部３より、互いに時間的に隣接するｎ番目からｎ＋１１番目までの１２フレームの画像信号Ｆ３６０が順次出力されているとする。撮像部３から出力されたｎ番目からｎ＋１１番目までの１２フレームの画像信号Ｆ３６０の中から４フレームの画像信号Ｆ３６０を選択して加算し、表示装置に出力する、フレーム周波数の低い１フレームの画像信号を生成する。露出は４フレーム分の画像信号Ｆ３６０を加算すると適正になるように制御されている。
【００３８】
たとえば、動画像撮影中、記憶選択部１５は、互いに時間的に隣接しないｎ、ｎ＋３、ｎ＋６、ｎ＋９番目のフレームの組み合わせの画像信号Ｆ３６０を加算部１６のフレームメモリ１６ａに送る。同時撮影の際、静止画像撮影ボタンが押されると、記憶選択部１５は、互いに時間的に隣接しないｎ、ｎ＋３、ｎ＋６、ｎ＋９番目のフレームの組み合わせの画像信号Ｆ３６０を動画像用のフレームメモリ１６ａに動画像用画像信号として送る。
【００３９】
また、互いに時間的に隣接するｎ、ｎ＋１、ｎ＋２、ｎ＋３番目の組み合わせの画像信号Ｆ３６０を静止画像用の加算部１６に含まれるフレームメモリ１６ｂに静止画像用画像信号として送る。加算部１６ではそれぞれ上述した４フレームの画像信号Ｆ３６０が加算され、１フレーム分の画像信号が生成される。また、表示装置に出力するフレーム周波数（１／３０秒）より撮像部３が出力するフレーム周波数（１／３６０秒）が高い撮像素子を用いている。しかし、表示装置１２に出力するフレーム周波数と記録するフレーム周波数は同じ低いフレーム周波数（１／３０秒）となる。
【００４０】
一般的に以下のように説明することができる。すなわち、撮像部３から順次出力され、記憶選択部１５に記憶された画像信号から、Ｌ（Ｌは、３以上の整数）フレーム単位で互いに時間的に連続しないＭ（Ｍは、Ｌより小さくかつ２以上の整数）フレームの画像信号を加算して動画像用画像信号を生成する。この場合、第１の加算部として、加算部１６を構成する動画像用のフレームメモリ１６ａを有する。
【００４１】
また、前記のＬフレームの画像信号のうちの互いに時間的に隣接したＮ（Ｎは、Ｌより小さくかつ２以上の整数）フレームの画像信号を加算して静止画像用画像信号を生成する。この場合、第２の加算部として、加算部１６を構成する静止画像用のフレームメモリ１６ｂを有する。
【００４２】
もしくは、撮像部３から順次出力され、記憶選択部１５に記憶された画像信号から、Ｌ（Ｌは、３以上の整数）フレーム単位でＭ（Ｍは、Ｌより小さくかつ２以上の整数）フレームの画像信号を加算して動画像用画像信号を生成する。この場合、第１の加算部として、加算部１６を構成する動画像用のフレームメモリ１６ａを有する。
【００４３】
また、前記のＬフレームの画像信号のうちのＭフレームよりも小さいＮ（Ｎは、Ｌより小さくかつ２以上の整数）フレームの画像信号を加算して静止画像用画像信号を生成する。この場合、第２の加算部として、加算部１６を構成する静止画像用のフレームメモリ１６ｂを有する。
【００４４】
本発明の実施形態１によれば、１／３０秒の中で、動画像の露光時間は分散され、静止画像の露光時間は集中される。したがって、動画像の１フレームの露光時間の偏りによる不連続なパラパラとした動画像用画像信号や、静止画像撮影時の静止画像用画像信号のブレを軽減することができる。
【００４５】
＜実施形態２＞
本実施形態２に係る撮像装置の構成は、実施形態１に係る撮像装置の構成と同様である。本実施形態１と同様に、撮像部３の半導体撮像素子は、表示装置１２に画像信号を出力するフレーム周波数より高いフレーム周波数の画像信号を出力する。本実施形態２においても、表示装置１２のフレーム周波数を３０フレーム／秒、撮像部３が出力するフレーム周波数を３６０フレーム／秒とする。表示装置１２のフレーム周波数で出力するためには撮像部３より出力された１２フレームの画像信号から１フレームの画像信号を生成する必要がある。
【００４６】
本実施形態２では、画像処理部６の後に記憶選択部１５と加算部１６を備えている。この部分で１２フレームの画像信号から１フレームの画像信号を生成する。記憶選択部１５ではＣＰＵ１３の命令に従い、動画像で使用する画像信号と、静止画像で使用する画像信号を選択する。加算部１６では、記憶選択部１５で選択された複数のフレームの画像信号を加算して１フレームの画像信号とする。
【００４７】
図４は、本実施形態２における同時撮影の際の画像信号と絞りの関係を示す。本実施形態２では、３０フレーム／秒で動作する表示装置１２が、１フレームの画像信号を表示する時間Ｔ３０の間に、撮像部３より１２フレームの画像信号Ｆ３６０が出力される。本実施形態２では、動画像は８フレームの画像信号Ｆ３６０を加算すると適正な露光時間になるように露出を制御しているとする。動画像撮影中は出力される１２フレームの画像信号Ｆ３６０のうち、８フレームの画像信号Ｆ３６０を記憶選択部１５で選択し、加算部１６で加算し、表示装置１２に出力する１フレームの画像信号を生成している。
【００４８】
同時撮影において、動画像撮影中に静止画像撮影ボタンが押下されると、操作部１４からＣＰＵ１３に指示信号が送られる。ＣＰＵ１３は光学系制御部２に命令を出し、撮像部３での露光量を多くするように光学系１の絞りを変更させる。本実施形態では、動画像撮影中に静止画像撮影ボタンが押下されると、露光量を多くするように、光学系制御部２により、たとえば２段階分絞り径Ｉを大きくする。絞り径Ｉの変更にかかる時間は１／３６０秒未満とする。露光量を多くするように、光学系１の絞り径Ｉを２段階分大きくしたので露光量は４倍となるため、２フレーム分の画像信号Ｆ３６０を加算すれば適性な露光量の画像信号となる。
【００４９】
図４に示すように、互いに時間的に隣接しないｎ、ｎ＋３の番目の組み合わせの画像信号Ｆ３６０は、絞り径Ｉの変更中に撮像部３で結像した光を基に生成されている。ｎ＋１、ｎ＋２の番目の互いに時間的に隣接する組み合わせの画像信号Ｆ３６０は、絞り径Ｉを２段分変更した後に撮像部３で結像した光を基に生成されている。ｎ＋４からｎ＋１１番目までの組み合わせの画像信号Ｆ３６０は、絞り径Ｉを変更前に戻した後に撮像部３で結像した光を基に生成されている。図４において、Ｉは、光学系制御部２で制御される、光学系１に含まれる絞り制御機構の絞り径の制御状態を模式的に図示する。
【００５０】
記憶選択部１５には、ｎからｎ＋１１番目の画像信号Ｆ３６０が送られ、順次フレームメモリ１５ａに記憶され、必要であれば加算部１６に信号を送り、その後に消去される。互いに時間的に隣接しないｎ、ｎ＋３番目の組み合わせの画像信号Ｆ３６０がフレームメモリ１５ａに記憶されたときは、記憶選択部１５は画像信号Ｆ３６０を加算部１６に送ることなく、フレームメモリ１５ａのデータを消去する。互いに時間的に隣接するｎ＋１、ｎ＋２の番目の組み合わせの画像信号Ｆ３６０がフレームメモリ１５ａに記憶された時は、静止画像用のフレームメモリ１６ｂに画像信号Ｆ３６０を送った後に画像信号Ｆ３６０を消去する。ｎ＋４からｎ＋１１番目までの組み合わせの画像信号Ｆ３６０がフレームメモリ１５ａに記憶された時は、動画像用のフレームメモリ１６ａに画像信号を送った後に画像信号を消去する。
【００５１】
動画像用のフレームメモリ１６ａではｎ＋４からｎ＋１１番目までの組み合わせの画像信号Ｆ３６０を加算し、１フレームの画像信号を生成する。静止画像用のフレームメモリ１６ｂでは、互いに時間的に隣接するｎ＋２とｎ＋３番目の組み合わせの画像信号Ｆ３６０を加算し、１枚の静止画像の画像を生成する。また、表示装置１２に出力するフレーム周波数より撮像部が出力するフレーム周波数が高い撮像部３を使用しているが、表示装置１２に出力するフレーム周波数と記録するフレーム周波数は同じ低いフレーム周波数（１／３０秒）となる。
【００５２】
本発明の実施形態２においても、実施形態１で説明した一般的な説明の考えを採用することが可能である。
【００５３】
本発明の実施形態２によれば、動画像の露光時間は長く、静止画像の露光時間は短くなるため、動画像の１フレームの露光時間の偏りによる不連続なパラパラとした動画像用画像信号や、静止画像撮影時の静止画像用画像信号のブレを軽減することができる。
【００５４】
上記で説明した実施形態では、加算数を異ならせることにより露光時間を異ならせるようにしたが、以下のような構成であっても良い。すなわち、１／３０秒単位で短い露光時間の画像信号と、長い露光時間の画像信号とを撮像するように、ＴＧ４が撮像部３を駆動する。そして、短い露光時間の画像信号に基づき静止画像を生成し、長い露光時間の画像信号に基づき動画像を生成する。
【００５５】
また、本発明は、前述した実施形態の機能を実現するソフトウェアのプログラムコードを記録した記憶媒体を、システムあるいは装置に供給することによっても実施可能である。すなわち本発明の目的は、そのシステムあるいは装置のコンピュータ（またはＣＰＵやＭＰＵ）が記憶媒体に格納されたプログラムコードを読出し実行することによっても達成される。この場合、記憶媒体から読出されたプログラムコード自体が前述した実施形態の機能を実現することになり、そのプログラムコードを記憶した記憶媒体は本発明を構成することになる。プログラムコードを供給するための記憶媒体としては、例えばフレキシブルディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００５６】
また、コンピュータが読出したプログラムコードを実行することで、前述した実施形態の機能が実現されるだけでなく、そのプログラムコードの指示に基づき、コンピュータ上で稼働しているＯＳなどが実際の処理の一部または全部を行いこともありうる。それにより、本発明は、その処理によって前述した実施形態の機能が実現される場合も含まれる。
【００５７】
さらに本発明においては、記憶媒体から読出されたプログラムコードが、コンピュータに挿入された機能拡張ボードやコンピュータに接続された機能拡張ユニットに備わるメモリに書込まれて実施することも可能である。したがって、書込まれプログラムコードの指示に基づき、その機能拡張ボードや機能拡張ユニットに備わるＣＰＵなどが実際の処理の一部または全部を行い、その処理によって前述した実施形態の機能が実現される場合も含まれる。
【図面の簡単な説明】
【００５８】
【図１】本発明の実施形態１及び２に係る撮像装置の概略ブロック構成図である。
【図２】本発明の実施形態１及び２に係る撮像装置の記憶選択部と加算部のブロック構成図である。
【図３】本発明の実施形態１に係る撮像装置の動作を説明する図である。
【図４】本発明の実施形態２に係る撮像装置の動作を説明する図である。
【図５】従来技術に係る撮像装置の概略ブロック構成図である。
【符号の説明】
【００５９】
１‥‥光学系
２‥‥光学系制御部
３‥‥撮像部
４‥‥ＴＧ（タイミングジェネレータ）
５‥‥Ａ／Ｄ変換部
６‥‥画像処理部
７‥‥リサイズ処理部
７ａ‥‥動画像用リサイズ処理部
７ｂ‥‥静止画像用リサイズ処理部
８‥‥静止画像記録媒体
９‥‥画像信号処理部
１０‥‥動画像記録媒体
１１‥‥表示制御部
１２‥‥表示装置
１３‥‥ＣＰＵ
１４‥‥操作部
１５‥‥記憶選択部
１５ａ‥‥フレームメモリ
１６‥‥加算部
１６ａ、１６ｂ‥‥フレームメモリ
【図１】
2008205620.tif 000003
【図２】
2008205620.tif 000004
【図３】
2008205620.tif 000005
【図４】
2008205620.tif 000006
【図５】
2008205620.tif 000007